(57)【要約】【課題】屈曲部、たわみ部を有する管路を、空気溜りがなく、流体で満たすための補助具ならびにこの補助具を用いた流体注入方法を提供する。【解決手段】  表面に弾力性のある布を被覆させた芯材からなる補助具１が、管路１０の注入側１３の先頭に配置され、管路に流体２０が注入される。補助具１はその被覆布に弾性があり、また柔軟であるので、管路１０の山部１４、１６の峠を、管壁と良好にフィットしながら通過し、滑落することがなく、空気を押し出しながら徐々に進み、排出側１７から排出される。管路１０には、空気がたまることなく、管路は流体２０で満杯状態に満たされる。【選択図】図３
2008240940.tif 000002
【特許請求の範囲】
【請求項１】
管路を流体で満たすために管路に挿入される補助具であって、
補助具が、芯材とその表面を被覆する弾力のある被覆布とから構成されることを特徴とする補助具。
【請求項２】
前記被覆布は、天然繊維、毛、棉、あるいは合成繊維からなる織物又は不織布、あるいは、ゴム、プラスチックの発泡体であることを特徴とする請求項１に記載の補助具。
【請求項３】
前記芯材は、木材、プラスチック、金属からなるブロックまたは中空体であることを特徴とする請求項１又は２に記載の補助具。
【請求項４】
請求項１、２又は３に記載の補助具を管路に挿入し、その後管路に流体を注入することを特徴とする流体注入方法。
【発明の詳細な説明】
【技術分野】
【０００１】
本発明は、屈曲部、たわみ部を有する管路であっても、エアー溜りがなく、水あるいは温水などの流体で管路を満たすための補助具および管路に該流体を注入するための流体注水方法に関するものである。
【背景技術】
【０００２】
地中に埋設された下水道管などは老朽化した場合、その内面にライニングを施す管路補修工法が実施されている（特許文献１）。ライニングの際に熱硬化性樹脂を含浸した材料を管路内に挿入し蒸気、温水などの熱媒体を注入して硬化させる。
【特許文献１】特開平２−１９４９３０号公報
【発明の開示】
【発明が解決しようとする課題】
【０００３】
しかしながら、下水管と異なり地中に埋設された電力管、ガス管、工業用管路などの管路は一方的な勾配ではなく、屈曲部ないしたわみ部を有するので、ライニングする際に冷却された熱媒体がスムーズに戻らない問題と、屈曲した管路の山部あるいは谷部にエアー溜りが形成され、ライニング材が均一に加熱されない問題がある。
【０００４】
本発明の課題は、屈曲部、たわみ部を有する管路を、空気溜りがなく、流体で満杯に満たすための補助具およびこの補助具を用いて管路に流体を注入するための流体注入方法を提供することにある。
【課題を解決するための手段】
【０００５】
これらの課題を解決するために、管路を流体で満たすために管路に挿入される本発明の補助具は、芯材とその表面を被覆する弾力のある被覆布とから構成されることを特徴とする。
【０００６】
尚、この補助具は、芯材の寸法および被覆布の厚みを選択することで管路にフィットするような形状にされる。
【０００７】
また、本発明では、この補助具を管路に挿入し、その後管路に流体が注入される。補助具は、常に、注入される流体の先頭に位置し、注入される流体の圧力により管路内の空気を押し出しながら、前進して、管路に空気溜りを発生させることなく、管路を流体で満杯にする働きをする。
【発明の効果】
【０００８】
本発明では、芯材に弾力のある布を被覆した補助具を用いることにより、複雑な勾配のある屈曲した管路に空気溜りを発生することなく、管路を水あるいは温水などの流体で満杯にすることができる。
【発明を実施するための最良の形態】
【０００９】
以下、本発明の好ましい実施例を添付図面に基づいて説明する。しかし、本発明は多様な他の形に変形でき、ここに示す実施例は本発明を説明するために提供されるものであり、本発明の範囲が後述する実施例によって限定されるものと解釈されてはならない。また、図面における要素の形状などはより明確な説明を強調するために誇張されたものであり、本発明の要素の仕様、寸法を限定されるものと解釈されてはならない。
【実施例】
【００１０】
図１は、管路を流体で満たすための補助具１を概略的に示す斜視図である。ここで、管路は、地中に埋設された下水管、電力管、ガス管、工業用管路で、屈曲部、たわみ部を有し、老朽化したため管ライニング材を用いて更生される管路であり、また流体は、たとえば水、温水のような流体で、管ライニング材に含浸された熱硬化性樹脂を加温、硬化できる流体である。
【００１１】
図１に示す補助具１は、円柱状の芯材２を、その外周面全体を被覆布３で被覆することにより得られる。芯材２は、補助具１の形を保持するものであり、その断面形状は内壁に管ライニング材を施した管路の断面形状とほぼ同じ形状をとり、その寸法（断面が円形の場合には直径Ｄ）は管ライニング材を施した管路の呼び寸法の６０〜９８％が好ましい。また芯材２の長さＬは、特に制限しないが、断面寸法の８０％以上が好ましい。
【００１２】
芯材２の材質、構成などはとくに制限しない。材質の例として、木材、プラスチック、金属、合金が挙げられる。構成の例として、実芯ブロック、空芯円筒、網円筒が挙げられる。例えば、木材ブロック、塩化ビニル缶、ポリエチレン缶、アルミ缶、ステンレス缶などが好適である。芯材２が中実でない場合には、少なくとも、流体圧のかかる端面２ａは密閉あるいは流体が流れにくい面にするのが好ましい。
【００１３】
芯材２の変形として、円錐、円台先端を有する物もでもよい。更に、芯材の両端面にロープを取付ける金具を付けてもよい。
【００１４】
芯材２を被覆する被覆布３は、補助具１を、管ライニング材が施された管路（更生管）とフィットさせる役割をするもので、弾力性のある材質で構成される。被覆布３の厚みは、下記の式を満たすようにする。
【００１５】
被覆布の厚み＜＝（更生管呼び寸法−芯材の寸法）／２＋被覆布の圧縮量
被覆布３の材質、構成などはとくに制限しない。材質の例として、天然繊維、棉、合成繊維、発泡ゴム又は発泡プラスチックなどが例として挙げられる。構成の例として、織物、不織布（フェルト）、発泡材、綿など、またこれらの複合物が好適である。
【００１６】
被覆布３を芯材２に被覆する方法は特に制限しない。例えば、被覆布３の弾力を利用し、直接付ける方法、熱による融着方法、粘着剤を用いた接着方法、バンドなどを用いた梱包方法などが好適である。
【００１７】
流体の管路への注水方法として、本発明の補助具１を、流体注入側の管路に挿入して、ポンプなどで流体圧を加えて、この補助具１を推進しながら流体を注入する。
【００１８】
図２（ａ）には、Ｍ字型に屈曲した管路で、熱硬化性樹脂を含浸した管ライニング材（不図示）が挿入された管路１０が示されている。管ライニング材は反転方式、あるいは引き込み方式で管路に挿入されており、管路１０の内壁に密着しているものとする。管路１０は流体注入側１３から２つの山部１４、１６があり、これらの山部の間に１つ谷部１５ができるように屈曲している。なお、管路１０は、説明のために、屈曲が誇張されて図示されている。
【００１９】
管ライニング材の熱硬化性樹脂を硬化させるために、図２（ｂ）に示すように、管路１０の流体排出側１７を開放して、注入側１３から流体２０を注入すると、管路の注入側１３と山部１４間の上り坂では流体２０のレベルが徐々に上がっていく。注入した流体は山部１４の峠を越えると、谷部１５に溜って、谷部１５がまもなく流体２０で満たされ、山部１４と谷部１５の間にある空気が逃げ場がなくなり、エアー溜り２１が形成される。
【００２０】
流体２０を更に注入すると、流体２０のレベルが他の山部１６まで上がって行く。注入した流体２０が山部１６の峠を越えると、流体は底部となった排出側１７に溜り、山部１６と排出側１７の間にある空気が逃げ場がなくなり、同様に山部１６近辺にエアー溜り２２が形成される。流体２０を排出側１７から排出しても、エアー溜り２１、２２の範囲は変わらない。
【００２１】
このようなエアー溜りは、図３（ａ）〜（ｃ）に示すように、図１の補助具１を用いることにより解消することができる。
【００２２】
補助具１は、たとえば、管ライニング材が内壁に密着している管路１０の内径の９０％を有する直径Ｄのプラスチックの空芯円柱体（端面２ａは密閉する）からなる芯材２に、管路１０の内径の２０％を有する弾力のある織物からなる被覆布３を貼り付けることにより作られる。
【００２３】
補助具１を管路１０の注入側１３から挿入して、流体２０を注入側１３から注入する。補助具１は、図３（ａ）に示したように、流体２０の先頭に常に位置して流体圧により管路１０内を排出側１７に向けて移動していく。補助具１はその被覆布３が弾力性を有し、また柔軟であるので、管路１０の山部１４の峠を、管壁と良好にフィットしながら通過し、滑落することがなく、空気を押し出しながら徐々に進んでゆく。従って、図２（ｂ）に示すように、山部１４と谷部１５間にエアー溜り２１が形成されることがない。
【００２４】
また、補助具１は、管路１０の谷部１５を過ぎると、注入側１３と谷部１５の間と同じように、空気を押し出しながら徐々に進んでいき、図３（ｂ）に示したように、排出側１７に到達し、そこから排出される。したがって、管路１０は、図３（ｃ）に示すように、流体２０で満杯状態に満たされる。
【００２５】
流体が水の場合には、続いて加温循環され、また温水の場合には、循環されて、管路１０の内壁に密着している管ライニング材に含浸された熱硬化性樹脂が加温される。所定時間加温を続けると、熱硬化性樹脂が硬化するので、その段階で流体２０は管路１０から排出される。
【００２６】
管ライニング材を加温するとき、管路１０には、エアー溜りが形成されないので、管ライニング材は均等に加温硬化され、管路１０を良質にライニングすることが可能となる。
【図面の簡単な説明】
【００２７】
【図１】本発明の補助具を概略的に示す斜視図である。
【図２】管路にエアー溜りが形成されることを説明する説明図である。
【図３】補助具を用いて管路に流体を注入し、管路を流体で満たす状態を示した説明図である。
【符号の説明】
【００２８】
１  補助具
２  芯材
３  被覆布
１０  管路
２０  流体
２１、２２  エアー溜り
【図１】
2008240940.tif 000003
【図２】
2008240940.tif 000004
【図３】
2008240940.tif 000005